(57)【要約】【課題】ＬＬＤＰに非対応の通信端末についても、通信端末情報を取得できる仕組みを提供する。【解決手段】中継装置は、接続された通信端末のＭＡＣアドレスを学習したとき、その学習したＭＡＣアドレスをＬＡＮの外部に設置されたプロダクトサーバに問い合わせる。プロダクトサーバは中継装置から問い合わせられたＭＡＣアドレスが自サーバのデータベースに見つかれば、そのＭＡＣアドレスに対応した通信端末情報を問い合わせ元の中継装置に返答する。中継装置はその通信端末情報を拡張したＭＡＣアドレステーブルに登録する。【選択図】図１
2011155462.tif 000002
【特許請求の範囲】
【請求項１】
通信端末を接続する複数の接続ポートを有し、前記複数の接続ポート間でデータを中継する中継装置であって、
前記接続ポートに接続された通信端末のＭＡＣアドレスを抽出するＭＡＣアドレス抽出手段と、
前記ＭＡＣアドレス抽出手段が抽出したＭＡＣアドレスを所定のサーバへ通知するＭＡＣアドレス通知手段と、
前記ＭＡＣアドレスを通知したサーバから当該ＭＡＣアドレスに対応した情報を取得するＭＡＣアドレス対応情報取得手段と、
前記ＭＡＣアドレス対応情報取得手段が取得した情報の一部または全てを所定の宛先へ通知するまたは自中継装置が備える表示部に表示するＭＡＣアドレス対応情報通知手段と、を有し、
前記複数の接続ポートの何れかに通信端末が接続された場合に、前記ＭＡＣアドレス抽出手段は当該通信端末のＭＡＣアドレスを抽出し、前記ＭＡＣアドレス通知手段は多数のＭＡＣアドレスの各々と対応付けて端末種別または通信能力または通信制御に係る端末情報を蓄積しているサーバへ前記抽出したＭＡＣアドレスを通知し、前記ＭＡＣアドレス対応情報取得手段は前記サーバから当該ＭＡＣアドレスに対応した端末情報を取得し、前記ＭＡＣアドレス対応情報通知手段は当該接続ポートに接続された通信端末の識別に係る前記取得した端末情報の一部または全てを予め定められた宛先へ通知するまたは自中継装置が備える表示部に表示することを特徴とする接続端末識別機能を有する中継装置。
【請求項２】
請求項１に記載の中継装置であって、
前記複数の接続ポートのデータ中継に係る優先制御を行う優先制御手段を更に有し、
前記ＭＡＣアドレス対応情報取得手段が取得した情報に優先制御に係る情報が含まれていた場合、またはＭＡＣアドレス対応情報提示手段が通知した宛先から優先制御に係る指示コマンドを受信した場合、
前記優先制御手段は前記複数の接続ポート間で、所定の優先制御を伴うデータ中継を実行すること特徴とする接続端末識別機能を有する中継装置。
【請求項３】
請求項１または２に記載の中継装置であって、
前記ＭＡＣアドレス対応情報取得手段が取得した情報に誤接続または不正接続に係るアラーム情報が含まれていた場合、またはＭＡＣアドレス対応情報提示手段が通知した宛先から誤接続または不正接続に係るアラームコマンドを受信した場合、
当該通信端末の当該接続ポートへの接続は誤接続または不正接続である旨のアラームを自中継装置が備える表示部に表示すること特徴とする接続端末識別機能を有する中継装置。
【発明の詳細な説明】
【技術分野】
【０００１】
この発明は中継装置に係り、特にＬＡＮを構成する際に使用するスイッチングＨＵＢ等の中継装置に関する。
【背景技術】
【０００２】
スイッチングＨＵＢ等の中継装置（以下中継装置と呼称）で優先制御を行う場合、設置工事者が、中継装置にどのような通信端末が接続されているか判断し、通信端末毎に適切な優先度を中継装置に手動で設定する方法が考えられる。このとき中継装置が、接続されている通信端末を自動で認識できれば、より迅速に確実な優先度の設定が可能となる。
【０００３】
中継装置に接続されている通信端末を自動で認識する技術として、ＬＬＤＰ（Link Layer Discovery Protocol）が知られている。ＬＬＤＰは、ＩＥＥＥ８０２.１ＡＢとして標準化されている。ＬＬＤＰは、ネットワークに接続された機器を自動検知するプロトコルである。ＬＬＤＰ機能を持つ通信端末は、通信端末の種類，通信端末の設定情報などの自通信端末情報をレイヤ２（ＭＡＣレイヤ）レベルで近隣のノード（中継装置も含む）に所定のマルチキャストアドレスで通知する。
【０００４】
ＬＬＤＰによれば、中継装置で通信端末の自動検知ができ、より大規模化、複雑化する企業ネットの運用管理を効率化することができる。また、ＬＡＮの接続関係をポート・レベルで正確に、かつ簡単に把握でき、トラブルシューティングが容易になる。さらに、ＬＬＤＰは、ＶＬＡＮ、ＱｏＳ（Quality of Service）、ＰｏＥ（Power over Ethernet（登録商標））などの設定を自動化できる。
【先行技術文献】
【非特許文献】
【０００５】
【非特許文献１】ＩＥＥＥ８０２.１ＡＢ
【発明の概要】
【発明が解決しようとする課題】
【０００６】
しかし、ＬＬＤＰは、通信端末から通信端末情報を中継装置へ通知する仕組みである。したがって、中継装置は、ＬＬＤＰに対応した通信端末からしか通信端末情報を得られない。つまり、中継装置は、既に出回っているＬＬＤＰに対応していない通信端末の通信端末情報は取得できない。
【０００７】
そこで本発明の目的は、中継装置が、ＬＬＤＰに対応していない通信端末の通信端末情報を取得できる仕組みを提供することである。更に、取得した通信端末情報から適切な優先度を自動設定する中継装置を提供する。
【課題を解決するための手段】
【０００８】
上述した課題は、通信端末を接続する複数の接続ポートを有し、前記複数の接続ポート間でデータを中継する中継装置であって、前記接続ポートに接続された通信端末のＭＡＣアドレスを抽出するＭＡＣアドレス抽出手段と、前記ＭＡＣアドレス抽出手段が抽出したＭＡＣアドレスを所定のサーバへ通知するＭＡＣアドレス通知手段と、前記ＭＡＣアドレスを通知したサーバから当該ＭＡＣアドレスに対応した情報を取得するＭＡＣアドレス対応情報取得手段と、前記ＭＡＣアドレス対応情報取得手段が取得した情報の一部または全てを所定の宛先へ通知するまたは自中継装置が備える表示部に表示するＭＡＣアドレス対応情報通知手段と、を有し、前記複数の接続ポートの何れかに通信端末が接続された場合に、前記ＭＡＣアドレス抽出手段は当該通信端末のＭＡＣアドレスを抽出し、前記ＭＡＣアドレス通知手段は多数のＭＡＣアドレスの各々と対応付けて端末種別または通信能力または通信制御に係る端末情報を蓄積しているサーバへ前記抽出したＭＡＣアドレスを通知し、前記ＭＡＣアドレス対応情報取得手段は前記サーバから当該ＭＡＣアドレスに対応した端末情報を取得し、前記ＭＡＣアドレス対応情報通知手段は当該接続ポートに接続された通信端末の識別に係る前記取得した端末情報の一部または全てを予め定められた宛先へ通知するまたは自中継装置が備える表示部に表示することにより、達成できる。
【発明の効果】
【０００９】
本発明によれば、スイッチングＨＵＢ等の中継装置が、ＬＬＤＰに対応していない通信端末から通信端末情報を取得でき、中継装置に接続された通信端末毎に適切な優先度を自動設定することが可能となる。
【図面の簡単な説明】
【００１０】
【図１】ネットワークシステムのハードウェア構成図である。
【図２】中継装置の機能ブロック図である。
【図３】プロダクトサーバの機能ブロック図である。
【図４】端末情報付きＭＡＣテーブルを説明する図である。
【図５】端末情報データベースを説明する図である。
【図６】中継装置の通信端末情報登録のフローチャートである。
【図７】プロダクトサーバの通信端末情報取得動作のフローチャートである。
【図８】中継装置のデータ中継のフローチャートである。
【図９】中継装置のアラーム表示のフローチャートである。
【図１０】メディア変換機能を有する中継装置を利用するネットワークシステムのハードウェア構成図である。
【図１１】変換中継装置の機能ブロック図である。
【図１２】代理サーバを利用するネットワークシステムのハードウェア構成図である。
【発明を実施するための形態】
【００１１】
以下、本発明の実施の形態について、実施例を用い図面を参照しながら詳細に説明する。なお、実質同一部位には、同じ参照番号を振り、説明は繰り返さない。
【実施例１】
【００１２】
まず、図１を参照して、ネットワークシステム１０００の構成を説明する。図１において、ネットワークシステム１０００は、通信端末メーカごとに配置されたプロダクトサーバ５００、製造部門データ記憶部６００、サービス部門データ記憶部７００と、インターネット４００と、ゲートウェイ３００と、中継装置１００と、複数の通信端末２００とから構成されている。プロダクトサーバ５００、製造部門データ記憶部６００、サービス部門データ記憶部７００と、インターネット４００とは、アクセス回線８１０で接続されている。ゲートウェイ３００と、インターネット４００とは、アクセス回線８１０で接続されている。ゲートウェイ３００と、中継装置１００とは、ＬＡＮケーブル８００で接続されている。中継装置１００と、通信端末２００とは、ＬＡＮケーブル８００で接続されている。
【００１３】
中継装置１００は、複数のイーサネット（登録商標）接続ポートを持つ。中継装置１００は、その接続ポートに通信端末２００と、ゲートウェイ３００とを接続する。中継装置１００は、通信端末２００とゲートウェイ３００との間のデータ中継または通信端末２００同士のデータ中継を行なう。中継装置１００は、イーサネットフレーム中の宛先ＭＡＣアドレスを手掛かりにＭＡＣテーブルに登録された値に応じてデータの中継を行なう。中継装置１００は、接続ポートに接続された通信端末の通信端末情報を問合せて取得する。中継装置１００は、通信端末情報から識別した優先度に応じて優先制御を施したデータ中継を行なう。
【００１４】
通信端末２００は、ユーザーが直接使用するパソコン、ＩＰ電話機、プリンタなどの端末である。通信端末２００は、ＬＡＮケーブル８００を介して中継装置１００の接続ポートに接続される。
【００１５】
ゲートウェイ３００は、インターネット４００と中継装置１００との間に接続され、インターネット４００（ＷＡＮ）と中継装置（ＬＡＮ）とのプロトコル変換を行なう。インターネット４００は、世界中様々な機器からアクセス可能な通信網である。
【００１６】
プロダクトサーバ５００は、通信端末２００を製造、販売するメーカが管理するサーバである。プロダクトサーバ５００は、メーカが販売した通信端末２００のＭＡＣアドレスと通信端末種別または通信能力または通信制御に係る通信端末情報を対応付けて蓄積する端末情報データベースを持つ。プロダクトサーバ５００は、中継装置１００からの通信端末情報問合せに応じて端末情報データベースを検索し結果を返答する。端末情報データベースの詳細については図５で後述する。
【００１７】
製造部門データ記憶部６００は、メーカの製造部門のデータベースであり、製造した製品名や製品種別（ＩＰ電話など）、製品のＭＡＣアドレス範囲など、製造段階の製品情報を記憶する。
【００１８】
サービス部門データ記憶部７００は、メーカのサービス部門のデータベースであり、販売した製品のソフトウェア情報や最新ＳＷバージョン情報など、保守サービス段階の製品情報を記憶する。
【００１９】
プロダクトサーバ５００は、製造部門データ記憶部６００またはサービス部門データ記憶部７００が更新されると、更新情報に合わせて自装置の端末情報データベースを更新する。
【００２０】
図２を参照して、中継装置１００の機能ブロック構成について説明する。図２において、中継装置１００は、スイッチ部１０１、ＭＡＣテーブル部１０２、ＭＡＣアドレス学習部１０３、端末情報問合せ部１０４、端末情報受信部１０５、複数の接続ポート１０６、端末情報通知部１０７、端末情報表示部１０８、アラーム判定部１０９から構成される。
【００２１】
スイッチ部１０１は、接続ポート１０６がイーサネットフレームを受信すると、ＭＡＣテーブル部１０２に登録された図示しないＭＡＣアドレスと接続ポート番号の対応表に従い、イーサネットフレーム中の宛先ＭＡＣアドレスに対応する出力先の接続ポート１０６を決定し、決定した接続ポート１０６から中継するイーサネットフレームを通信端末２００に送出する。スイッチ部１０１は、さらに優先制御部１０１１を有する。
【００２２】
優先制御部１０１１は、接続ポート１０６への出力部分にＭＡＣテーブル部１０２に記載された優先度情報に従い、優先制御を行なう。
【００２３】
ＭＡＣテーブル部１０２は、接続している通信端末２００のＭＡＣアドレスと、通信端末２００が接続ポート１０６の接続ポート番号と、通信端末２００の通信端末情報とを関連付けて記憶した通信端末情報付きＭＡＣテーブル１０２０を記憶する。なお、詳細については図４に後述する。
ＭＡＣアドレス学習部１０３は、接続ポート１０６に通信端末２００を接続すると、接続した通信端末２００のＭＡＣアドレスを抽出する。ＭＡＣアドレス学習部１０３は、ＭＡＣアドレスを抽出すると、端末情報問合せ部１０４に対して所定のサーバ（メーカのプロダクトサーバ）へ通信端末情報の問合せを指示する。
端末情報問合せ部１０４は、ＭＡＣアドレス学習部１０３の指示に従い、抽出した通信端末２００の通信端末情報を端末情報問合せ部１０４に予め記憶された所定のサーバ（メーカのプロダクトサーバ）のアドレスに向けて問合わせる。なお、問合わせにはインターネットを経由してメッセージのやり取りが可能な独自のプロトコルで行ってもよいし、ＴＣＰ／ＩＰまたはＵＤＰで行ないＨＴＴＰ、ＴＥＬＮＥＴ、ＳＩＰ等のプロトコルを利用してもよい。
【００２４】
端末情報受信部１０５は、ＭＡＣアドレスを通知した所定のサーバ（メーカのプロダクトサーバ）から当該ＭＡＣアドレスに対応した通信端末情報の返答を受信し、受信した通信端末情報をＭＡＣテーブル部１０２に登録することによりＭＡＣアドレス対応情報として取得する。
【００２５】
接続ポート１０６は、イーサネットの物理的なインタフェース回路である。接続ポート１０６は、イーサネットフレームを送受信する。接続ポート１０６は、標準形状のコネクタが搭載され、このコネクタに接続されるＬＡＮケーブル８００を介して通信端末２００と接続される。
【００２６】
端末情報通知部１０７は、ＭＡＣテーブル部１０２の通信端末情報付きＭＡＣテーブル１０２０に登録された通信端末情報を自中継装置内の端末情報表示部１０８からの要求または外部の装置からの要求に応じて、要求元へ通知する。
【００２７】
端末情報表示部１０８は、端末情報通知部１０７に対してＭＡＣテーブル部１０２に登録された任意のＭＡＣアドレスの通信端末情報の通知を要求する。端末情報表示部１０８は、端末情報通知部１０７からＭＡＣアドレスに対応した通信端末情報が通知されたならば、視認可能な表示を行なう。
【００２８】
アラーム判定部１０９は、ＭＡＣテーブル部１０２の通信端末情報付きＭＡＣテーブル１０２０に登録された通信端末情報が、接続ポート１０６が提供可能な能力の範囲内かどうかを調査する。範囲を外れていた場合、アラーム判定部１０９は、ＭＡＣテーブル部１０２の通信端末情報付きＭＡＣテーブル１０２０に登録された通信端末情報の当該欄にアラーム情報を付加する。通信端末情報付きＭＡＣテーブル１０２０の詳細については図４で説明する。アラーム判定部１０９は、接続ポート１０６が提供可能な能力の情報を記憶する。接続ポート１０６が提供可能な能力とは、対応可能な優先度レベルやＰｏＥ対応機器へ供給可能な最大電流値等のことである。
【００２９】
図３を参照して、プロダクトサーバ５００の構成を説明する。図３において、プロダクトサーバ５００は、通信制御部５０１、端末情報問合せ管理部５０２、端末情報データベース部５０３、端末情報収集部５０４、接続ＩＦ部５０５から構成される。端末情報データベース部５０３は、ＭＡＣアドレス検索部５０３１を含む。端末情報問合せ管理部５０２は、端末情報問合せ受信部５０２１と端末情報送信部５０２２とを含む。
【００３０】
通信制御部５０１は、インターネット４００から情報を受け取ると内容を分析し、通信端末情報の問合せや製造部門データ記憶部６００またはサービス部門データ記憶部７００から情報更新の連絡を受けたとき、内容に従って適切な管理部へ通知を行なう。
【００３１】
端末情報問合せ管理部５０２は、端末情報問合せ受信部５０２１と端末情報送信部５０２２とから構成される。
【００３２】
端末情報問合せ管理部５０２が中継装置１００から通信端末情報の問合せを受けると、端末情報問合せ受信部５０２１は、通信端末情報のＭＡＣアドレスを抽出する。端末情報問合せ受信部５０２１は、端末情報データベース部５０３へ抽出したＭＡＣアドレス情報を添えて通信端末情報の提供を指示する。端末情報送信部５０２２は、端末情報データベース部５０３から通信端末情報を受けると、通信制御部５０１へ渡す。端末情報データベース部５０３に対象のＭＡＣアドレスの通信端末情報が見つからなかったとき、端末情報送信部５０２２は、その旨を通信制御部５０１へ通知する。
【００３３】
端末情報データベース部５０３は、各通信端末毎の通信端末情報が記録されているデータベースである。端末情報データベース部５０３は、端末情報収集部５０４から送られてくる通信端末情報更新の依頼に基づいて、データベースを最新の状態に更新する。端末情報データベース部５０３は、端末情報問合せ管理部５０２から抽出したＭＡＣアドレスと共に通信端末情報の提供の指示を受けると、ＭＡＣアドレス検索部５０３１は、抽出したＭＡＣアドレスがデータベース内にあるかを検索する。ＭＡＣアドレス検索部５０３１は、抽出したＭＡＣアドレスが見つかれば対応する通信端末情報を端末情報問合せ管理部５０２へ渡す。
【００３４】
端末情報収集部５０４は、メーカの製造部門データ記憶部６００ないしメーカのサービス部門データ記憶部７００から通信端末情報の更新情報の収集を行い情報更新の通知を受けたとき、端末情報データベース部５０３内へ更新された通信端末情報を送信し更新を依頼する。
接続ＩＦ部５０５は、インターネット４００に接続する為のアクセス回線８１０に対応した接続インタフェース回路である。
【００３５】
図４を参照して、中継装置１００内のＭＡＣテーブル部１０２に記憶する通信端末情報付きＭＡＣテーブル１０２０の構成を説明する。図４において、通信端末情報付きＭＡＣテーブル１０２０は、ＭＡＣアドレス１０２１、接続ポート番号１０２２、製品名１０２３、メーカ名１０２４、種別１ １０２５、種別２ １０２６、優先度１０２７、ＰｏＥ最大電流１０２８、端末写真１０２９で構成される。
【００３６】
ＭＡＣアドレス１０２１は、ＭＡＣアドレス学習部１０３が検出したイーサネットフレーム中の送信元ＭＡＣアドレスを登録する。接続ポート番号１０２２は、検出した送信元ＭＡＣアドレスが含まれるイーサネットフレームを受信した接続ポートを示す番号である。接続ポート番号１０２２は、すなわちＭＡＣアドレス１０２１に登録されたＭＡＣアドレスの通信端末が接続されている接続ポート番号を表す。
【００３７】
製品名１０２３およびメーカ名１０２４は、文字通り、製品名、メーカ名である。種別１ １０２５は、通信端末がどのような種類の端末なのかを分類する情報である。種別２ １０２６は、種別１ １０２５を更に細かく分類し、特性、方式、通信能力または通信制御に係る通信端末情報を記述する。必要に応じて分類３、分類４、…と拡張しても良い。
【００３８】
優先度１０２７は、対象の通信端末の優先度情報である。スイッチ部１０１が受信したイーサネットフレームの宛先ＭＡＣアドレスに対応した接続ポートへイーサネットフレームを送信する際に、優先制御部１０１１は、優先度１０２７を参照して、適切な優先度で対象のイーサネットフレームを送出する。
【００３９】
ＰｏＥ最大電流１０２８は、通信端末が中継機から電力を供給されて動作するＰｏＥ機能に関する情報である。ＰｏＥ最大電流１０２８は、ＰｏＥ機能への対応の有無とＰｏＥ機能対応通信端末ならば消費する最大電流を保持する。端末写真１０２９は、端末の外観写真のファイル名を保持する。なお、ここに記載した情報要素以外にも必要に応じて独自に拡張しても構わない
図５を参照して、プロダクトサーバ５００内の端末情報データベース部５０３の端末情報データベース５０３０構成を説明する。図５において、端末情報データベース５０３０は、ＭＡＣアドレス５０３２、製品名５０３３、製造年月日５０３４、最新ＳＷバージョン５０３５、種別１ ５０３６、種別２ ５０３７、優先度５０３８、ＰｏＥ最大電流５０３９、端末写真５０３Ａから構成される。
【００４０】
ＭＡＣアドレス５０３２は、メーカＡで製造、出荷された通信端末のＭＡＣアドレスを保持する。製品名５０３３は、ＭＡＣアドレスに対応した通信端末の名称を保持する。製造年月日５０３４は、ＭＡＣアドレスに対応した通信端末の製造年月日を保持する。最新ＳＷバージョン５０３５は、ＭＡＣアドレスに対応した通信端末用のソフトウェア（ファームウェア）の最新バージョンとリリース年月日を保持する。
【００４１】
種別１ ５０３６は、出荷した通信端末の種類を分類する情報を保持する。種別２ ５０３７は、種別１を更に細かく分類し、特性、方式、通信能力または通信制御に係る通信端末情報を保持する。なお、必要に応じて分類３、分類４…と拡張しても良い。優先度５０３８は、通信端末に要求される最適な優先度である。ＰｏＥ最大電流５０３９は、通信端末が中継装置から電力を供給されて動作するＰｏＥ機能に関する情報である。ＰｏＥ最大電流５０３９は、ＰｏＥ機能への対応の有無とＰｏＥ機能対応通信端末ならば消費する最大電流を保持する。端末写真５０３Ａは、端末の外観写真のファイル名を保持する。
【００４２】
これらの、情報要素のレコードは、通信端末が製造されたときに、製造部門データ記憶部６００より端末情報収集部５０４が受信した通信端末情報が新たに登録され、最新ＳＷバージョン５０３５は、通信端末出荷後の機能拡張および不具合修正の際にサービス部門データ記憶部７００より端末情報収集部５０４が受信した通信端末情報に基づき更新される。なお、ここに記載した情報要素以外にも必要に応じて独自に拡張しても構わない。
【００４３】
図６を参照して、中継装置１００の通信端末情報登録の動作を説明する。図６において、新しい通信端末２００が中継装置１００に接続され、中継装置１００のＭＡＣアドレス学習部１０３が新たに通信端末２００のＭＡＣアドレスを検出したとき、中継装置１００は、このフローチャートの動作を開始する。
【００４４】
中継装置１００は、検出したＭＡＣアドレス及びＭＡＣアドレスを検出したポート番号をＭＡＣテーブル部１０２に追加する（Ｓ１０１）。この時点で、ＭＡＣテーブル部１０２に登録される情報はＭＡＣアドレス１０２１と接続ポート番号１０２２のみである。
【００４５】
中継装置１００は、ＭＡＣテーブル部１０２の優先度１０２７にデフォルト値「３（普通）」を設定する（Ｓ１０２）。プロダクトサーバ５００から通信端末情報を取得して優先度１０２７の値が更新されるまで、中継装置１００は、デフォルト値の優先度でデータ中継する。
【００４６】
中継装置１００は、最初の問合せ先メーカＡのプロダクトサーバのアドレスを設定する（Ｓ１０３）。中継装置１００は、設定したアドレスのプロダクトサーバへ通信端末情報を問合わせる（Ｓ１０４）。また、問合わせのあと、中継装置１００は、問合わせ返答までの時間を監視するタイマを起動する（Ｓ１０５）。
【００４７】
中継装置１００は、通信端末情報問合わせの返答を待つ（Ｓ１０６：ＮＯ→Ｓ１１１：ＮＯ）。通信端末情報問合せの返答を受信したとき（Ｓ１０６：ＹＥＳ）、中継装置１００は、その返答に有効な通信端末情報が含まれているかどうかを判定する（Ｓ１０７）。通信端末情報が含まれていれば（Ｓ１０７：ＹＥＳ）、中継装置１００は、ＭＡＣテーブル部１０２に取得した通信端末情報を通知し、ＭＡＣテーブル部１０２は通知された通信端末情報を対象のＭＡＣアドレスのテーブルに登録する（Ｓ１０８）。登録する情報は、製品名１０２３、メーカ名１０２４、種別１ １０２５、種別２ １０２６、ＰｏＥ最大電流１０２８、端末写真１０２９である。更に、優先度１０２７の値を取得した通信端末情報に基づいて更新し（Ｓ１０９）、端末情報の一部または全部を予め定められた宛先へ通知または時中継装置内の端末情報表示部１０８に表示し（Ｓ１１０）、通信端末情報登録の動作を終了する。
【００４８】
ステップ１０５で起動したタイマがタイムアウトしたとき（Ｓ１１１：ＹＥＳ）、または通信端末情報問合せの返答が「通信端末情報なし」である場合（Ｓ１０７：ＮＯ）、中継装置１００は、他メーカの問合せ先プロダクトサーバがあるかどうかを調査する（Ｓ１１２）。
【００４９】
他メーカの問合せ先プロダクトサーバがあったとき（Ｓ１１２：ＹＥＳ）、中継装置１００は、次の問合せメーカＢ、Ｃ、…のプロダクトサーバのＩＰアドレス）を設定し（Ｓ１１３）、ステップＳ１０４に遷移する。他メーカの問合せ先プロダクトサーバがなかったとき（Ｓ１１２：ＮＯ）、中継装置１００は、通信端末情報登録動作を終了する。
【００５０】
ＭＡＣテーブル部１０２からＭＡＣアドレス学習部の動作規定に基づいて、ＭＡＣアドレスが削除されるとき、中継装置１００は、プロダクトサーバ５００から取得した通信端末情報も全て削除する。
【００５１】
図７を参照して、プロダクトサーバ５００の通信端末情報取得動作を説明する。図７において、中継装置１００からの通信端末情報問合せが通信制御部５０１に到着し、端末情報問合せ管理部５０２に通信端末情報問合せ内容が通知されたときに、プロダクトサーバ５００はこのフローチャートの動作を開始する。
【００５２】
プロダクトサーバ５００は、通知内容から問合せ対象のＭＡＣアドレスを抽出する（Ｓ５０１）。プロダクトサーバ５００は、抽出したＭＡＣアドレス情報に基づいて、端末情報データベース部５０３を検索する（Ｓ５０２）。
【００５３】
端末情報データベース部５０３の端末情報データベース５０３０に抽出したＭＡＣアドレスと一致するＭＡＣアドレスがあったとき（Ｓ５０３：ＹＥＳ）プロダクトサーバ５００は、端末情報データベース５０３０の一致するＭＡＣアドレスのレコードから通信端末情報を取得する（Ｓ５０４）。プロダクトサーバ５００は、取得した通信端末情報を通信端末情報問合せの返答として問合せ元の中継装置１００へ送信し（Ｓ５０５）、通信端末情報返答動作を終了する。
【００５４】
ステップＳ５０３でＮＯのとき、プロダクトサーバ５００は、抽出したＭＡＣアドレスが見つからなかったことを問合せ元の中継装置１００へ送信し（Ｓ５０６）、通信端末情報返答動作を終了する。
【００５５】
図８を参照して、中継装置１００のデータ中継動作を説明する。図８において、中継装置１００は、接続ポート１０６にイーサネットフレームが到着し、スイッチ部１０１の受信データバッファに受信イーサネットフレームが設定されたときにこのフローチャートの動作を開始する。
【００５６】
中継装置１００は、受信イーサネットフレームの宛先ＭＡＣアドレスを検出する（Ｓ２０１）。中継装置１００は、ＭＡＣテーブル部１０２のテーブル内に検出した宛先ＭＡＣアドレスに一致するＭＡＣアドレスを検索し、そのＭＡＣアドレスに対応する接続ポート番号１０２２に登録されているポート番号の接続ポート１０６をこのイーサネットフレームの出力先接続ポートとして確定する（Ｓ２０２）。
【００５７】
中継装置１００は、さらに、受信イーサネットフレームの送信元ＭＡＣアドレスを検出する（Ｓ２０３）。中継装置１００は、ＭＡＣテーブル部１０２のテーブル内に検出した送信元ＭＡＣアドレスに一致するＭＡＣアドレスを見つけ、そのＭＡＣアドレスに対応する優先度１０２７に登録されている優先度情報をこのイーサネットフレーム優先度としてイーサネットフレームに対応付ける（Ｓ２０４）。中継装置１００のスイッチ部１０１は、優先制御部１０１１に通知する（Ｓ２０５）。
【００５８】
中継装置１００は、イーサネットフレームを出力先接続ポート向けの出力データバッファに設定して（Ｓ２０６）、データ中継動作を終了する。この結果、優先制御部１０１１は、イーサネットフレーム通知された優先度にどおりに実装された優先制御方式にルールに従って接続ポート１０６へイーサネットフレームを出力する。
【００５９】
中継装置１００は、取得した通信端末情報に基づいて、通信端末の要求する能力（優先度および端末の消費電流）が、接続ポート１０６が提供可能な能力の範囲内かどうかを調査する。中継装置１００は、中継装置の接続ポートが提供可能な能力を超える能力を通信端末が要求している場合には、誤接続または不正接続と判定し、中継装置１００が備える図示しない表示部にアラーム表示を行なう。
【００６０】
図９を参照して、中継装置１００のアラーム表示の動作を説明する。図９において、中継装置１００は、端末情報受信部１０５が、プロダクトサーバ５００から当該ＭＡＣアドレスに対応した通信端末情報の返答を受信し、受信した通信端末情報をＭＡＣテーブル部１０２に登録し、ＭＡＣアドレス対応情報として取得したとき、このフローチャートの動作を開始する。
【００６１】
中継装置１００は、ＭＡＣテーブル部１０２に登録された通信端末情報の優先度の値を調査する（Ｓ３０１）。中継装置１００は、調査した優先度の値が接続ポート１０６で対応可能か判定する（Ｓ３０２）。対応可能であると判断したとき（Ｓ３０２：ＹＥＳ）中継装置１００は、そのままステップＳ３０５に遷移する。ステップＳ３０２で対応不可であると判断したとき（Ｓ３０２：ＮＯ）、中継装置１００は、アラーム情報をセットし（Ｓ３０３）、図示しないＬＥＤならびに端末情報表示部１０８にアラーム表示を行い（Ｓ３０４）、ステップＳ３０５に遷移する。
【００６２】
ステップＳ３０５では中継装置１００は、ＭＡＣテーブル部１０２に登録された通信端末情報のＰｏＥ最大電流の値を調査する。中継装置１００は、調査したＰｏＥ最大電流の値が接続ポート１０６で対応可能か判定する（Ｓ３０６）調査したＰｏＥ最大電流の値が接続ポート１０６が供給可能な電流値より小さければ対応可能であると判断し（Ｓ３０６：ＹＥＳ）、中継装置１００は、そのままアラーム表示動作を終了する。ステップ３０５で調査したＰｏＥ最大電流の値が接続ポート１０６が供給可能な電流値以上であって対応不可であると判断したとき（Ｓ３０６：ＮＯ）、中継装置１００は、アラーム情報をセットして（Ｓ３０７）、図示しないＬＥＤならびに端末情報表示部１０８にアラーム表示を行い（Ｓ３０８）、アラーム表示動作を終了する。
なお、アラーム情報は、ＭＡＣテーブル部１０２の図４の通信端末情報付きＭＡＣテーブル１０２０のように優先度１０２７またはＰｏＥ最大電流１０２８にアラーム情報をセットする。
【００６３】
図４を参照して、アラーム情報がセットされた通信端末情報付きＭＡＣテーブル１０２０を説明する。図４において、通信端末情報付きＭＡＣテーブル１０２０の最初と２番目のレコードのＰｏＥ最大電流１０２８には、[ＡＬ]がセットされ、接続ポート２と接続ポート３に接続された端末の要求能力に対応しないことを図示しないＬＥＤで表示する。
【００６４】
同様に、通信端末情報付きＭＡＣテーブル１０２の４番目のレコードの優先度１０２７には、[ＡＬ]がセットされ、接続ポート５に接続された端末の要求能力に対応しないことを図示しないＬＥＤで表示する。
【００６５】
端末情報通知部１０７は、通信端末情報付きＭＡＣテーブル１０２０に登録された通信端末情報を自中継装置内の端末情報表示部１０８からの要求に応じて通知する際に、アラーム情報も合わせて通知する。端末情報表示部１０８は、端末情報通知部１０７から通知されたＭＡＣアドレスに対応した通信端末情報にアラーム情報が含まれていたならば、誤接続または不正接続であることを知らしめる為、対象の通信端末情報と共に強調した視認表示を行なう。
【００６６】
以上説明した通り、本実施例による中継装置は、その配下の通信端末の通信端末情報を取得し、通信端末毎の適切な優先度を中継装置に自動設定することができる。また、本実施例による中継装置は、接続ポートに接続された端末の要求能力に対応しないことを表示する。
【実施例２】
【００６７】
実施例１では、中継装置を一般的なスイッチングＨＵＢを対象に説明した。しかし、イーサネットフレームを電話線、電力線、無線などの媒体で中継するメディア変換機能を有する中継装置にも同様の仕組みを持たせることが出来る。このようなメディア変換機能を有する中継装置は、一般的には、電話線、電力線、無線などの中継媒体にデータトラヒックが集中し、かつ中継媒体の区間の伝送能力がイーサネットよりも低い。このため、一般的なスイッチングＨＵＢよりもメディア変換機能を有する中継装置の方が優先制御の効果が大きく現れる。つまり、優先制御の自動設定の恩恵が大きい。
【００６８】
図１０を参照して、メディア変換機能を有する中継装置を含んだネットワークシステム１０００Ａの構成を説明する。図１０において、ネットワークシステム１０００Ａは、通信端末メーカごとに配置されたプロダクトサーバ５００、製造部門データ記憶部６００、サービス部門データ記憶部７００と、インターネット４００と、ゲートウェイ３００と、２台の中継装置１００Ａと、複数の通信端末２００とから構成されている。プロダクトサーバ５００、製造部門データ記憶部６００、サービス部門データ記憶部７００と、インターネット４００とは、アクセス回線８１０で接続されている。ゲートウェイ３００と、インターネット４００とは、アクセス回線８１０で接続されている。ゲートウェイ３００と、中継装置１００Ａ−１とは、ＬＡＮケーブル８００で接続されている。中継装置１００Ａ−２と、通信端末２００とは、ＬＡＮケーブル８００で接続されている。中継装置１００Ａ−１と、中継装置１００Ａ−２とは、中継媒体８２０で接続されている。
【００６９】
メディア変換機能を有する中継装置１００Ａは、イーサネットフレームを電話線、電力線、無線等の中継媒体伝送形式に変換するコンバータを内蔵し、中継媒体を挟んで２台が接続されている。中継媒体８２０は、電話線、電力線、無線等の伝送中継媒体である。
【００７０】
図１１を参照して、メディア変換機能を有する中継装置１００Ａの構成を説明する。図１１において、変換中継装置１００Ａは、スイッチ部１０１、ＭＡＣテーブル部１０２、ＭＡＣアドレス学習部１０３、端末情報問合せ部１０４、端末情報受信部１０５、複数の接続ポート１０６、端末情報通知部１０７、端末情報表示部１０８、アラーム判定部１０９、メディア変換部１１０から構成される。スイッチ部１０１は、さらに優先制御部１０１１を含む。
【００７１】
メディア変換部１１０は、スイッチ部１０１から受け渡されたイーサネットフレームを電話線、電力線、無線等の中継媒体を伝送できるように変換して送信する第１の変換器と、電話線、電力線、無線等の中継媒体で伝送されて受信したデータをイーサネットフレームに変換しスイッチ部１０１へ受け渡す第２の変換器を搭載したメディアコンバータである。
【実施例３】
【００７２】
実施例１の中継装置１００は、接続された通信端末のＭＡＣアドレスがプロダクトサーバのデータベースに見つかるまで、順次メーカを変えてプロダクトサーバへの問合せを何度も繰返す。実施例３では、各メーカのプロダクトサーバへの問合せを代行する代理サーバ９００を設置する。これによって、中継装置の通信端末情報問合せを、代理サーバ９００への問合せ一度きりにすることが可能となる。
【００７３】
図１２を参照して、代理サーバ９００を含んだネットワークシステム１０００Ｂを説明する。図１２において、ネットワークシステム１０００Ｂは、通信端末メーカごとに配置されたプロダクトサーバ５００、製造部門データ記憶部６００、サービス部門データ記憶部７００と、インターネット４００と、代理サーバ９００と、ゲートウェイ３００と、中継装置１００と、複数の通信端末２００とから構成されている。プロダクトサーバ５００、製造部門データ記憶部６００、サービス部門データ記憶部７００と、インターネット４００とは、アクセス回線８１０で接続されている。ゲートウェイ３００と、インターネット４００とは、アクセス回線８１０で接続されている。代理サーバ９００と、インターネット４００とは、アクセス回線８１０で接続されている。ゲートウェイ３００と、中継装置１００とは、ＬＡＮケーブル８００で接続されている。中継装置１００と、通信端末２００とは、ＬＡＮケーブル８００で接続されている。
【００７４】
代理サーバ９００は、中継装置１００からの通信端末情報問合せを受取ると、通信端末情報問合せに含まれるＭＡＣアドレスに応じて、適切なメーカのプロダクトサーバ５００へ通信端末情報問合せを行う。代理サーバ９００は、通信端末情報問合せに応じた通信端末情報をプロダクトサーバ５００から受取ると、問合せ元の中継装置１００へ通信端末へ送付する。代理サーバ９００は、通信端末のＭＡＣアドレスとプロダクトサーバの対応関係を収録するデータベースを持ち、メーカのプロダクトサーバ５００を定常的に探索しながら、この通信端末のＭＡＣアドレスとプロダクトサーバの対応関係を収録するデータベースを常に最新の状態に保つ。中継装置１００から通信端末情報問合せを受取ったならば、即座に適切なメーカのプロダクトサーバを選択し通信端末情報問合せを行うことを可能とする。
【００７５】
実施例１から実施例３において、中継装置１００は、ＬＬＤＰ  ＭＩＢ（Management Information Base）と呼ばれるＬＬＤＰにより送受された情報を管理するデータベースを搭載する。ＬＬＤＰに対応した通信端末が中継装置に接続されたとき、さらにＬＬＤＰに対応した通信端末からＬＬＤＰの方式により通信端末情報が通知されたとき、中継装置１００は、その情報を取得する。中継装置１００は、ＬＬＤＰの手順に従い、取得した情報をＬＬＤＰ  ＭＩＢに登録する。
【００７６】
ＬＬＤＰ非対応通信端末の通信端末情報をプロダクトサーバのデータベースから取得したとき、中継装置１００は、通信端末情報をＭＡＣテーブル部１０２に登録する。さらに、中継装置１００は、取得したＬＬＤＰ非対応通信端末の通信端末情報の中からＬＬＤＰ  ＭＩＢが管理する通信端末情報に当てはまる情報要素をＬＬＤＰ  ＭＩＢに登録する。したがって、ＬＬＤＰ非対応通信端末であっても、ＬＬＤＰ対応通信端末と同等に扱うことができる。
【００７７】
これによれば、ＬＬＤＰに対応していない古い通信端末であっても、ＬＬＤＰ  ＭＩＢに通信端末情報を登録することができる。この結果、中継装置１００は、ＬＬＤＰ  ＭＩＢを参照してネットワークトポロジーを作図、表示できる。ＳＮＭＰクライアントにとっては表示可能な通信端末の種類を増大させることになり、望ましい状況となる。
【００７８】
実施例１から実施例３において、中継装置１００に、更に図示しないＨＴＴＰサーバ機能を搭載する。この結果、中継装置１００は、取得した通信端末情報を、ＬＡＮに接続されたパソコンのＷｅｂブラウザで見ることができる。
【００７９】
ＭＡＣテーブル部１０２の情報が更新されたとき、ＭＡＣテーブル部１０２の登録内容をＨＴＭＬまたはＸＭＬ形式で自動作成する。通信端末の外観写真ファイルにリンクを貼ることで、直感的に理解が出来る接続構成図を表示できる。
【符号の説明】
【００８０】
１００…中継装置、１０１…スイッチ部、１０２…ＭＡＣテーブル部、１０３…ＭＡＣアドレス学習部、１０４…端末情報問合せ部、１０５…端末情報受信部、１０６…接続ポート、１０７…端末情報通知部、１０８…端末情報表示部、１０９…アラーム判定部、１１０…メディア変換部、２００…端末、３００…ゲートウェイ、４００…インターネット、５００…プロダクトサーバ、５０１…通信制御部、５０２…端末情報問合せ管理部、５０３…端末情報データベース部、５０４…端末情報収集部、５０５…接続ＩＦ部、６００…製造部門データ、７００…サービス部門データ、８００…ＬＡＮケーブル、８１０…アクセス回線、８２０…中継媒体、９００…代理サーバ、１０００…ネットワークシステム。
【図１】
2011155462.tif 000003
【図２】
2011155462.tif 000004
【図３】
2011155462.tif 000005
【図４】
2011155462.tif 000006
【図５】
2011155462.tif 000007
【図６】
2011155462.tif 000008
【図７】
2011155462.tif 000009
【図８】
2011155462.tif 000010
【図９】
2011155462.tif 000011
【図１０】
2011155462.tif 000012
【図１１】
2011155462.tif 000013
【図１２】
2011155462.tif 000014